【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
分散電子ドキュメントに関してアクションを行なうような要求を受信することと、
該要求に応答して、該分散電子ドキュメントとは異なる第２の電子ドキュメントを示す、該分散電子ドキュメントに関連した情報を識別することと、
該第２の電子ドキュメントに関する情報を伝え、該第２の電子ドキュメントに関して行なわれるべきアクションを行なわせることと
を含み、
該要求を受信することが、クライアントにおいて局所的に保持されている分散電子ドキュメントに関してアクションを行なうようなクライアントからの要求を受信することを含み、
該関連した情報を識別することが、該サーバにおいて、関連した情報を識別することを含み、
該第２のドキュメントの情報を伝えることが、該サーバからの該第２のドキュメントの情報を該クライアントに関係付けることを含む、方法。
【請求項２】
前記第２のドキュメントの情報を関係付けることが、前記第２のドキュメントの情報を前記クライアントに送信し、該第２のドキュメントを該クライアントが入手出来るようにすることを含む、請求項１に記載の方法。
【請求項３】
前記分散ドキュメントおよび第２のドキュメントが、異なる言語バージョンのドキュメントを含む、請求項１に記載の方法。
【請求項４】
前記分散ドキュメントおよび第２のドキュメントが、一連の異なるバージョンのドキュメントを含む、請求項１に記載の方法。
【請求項５】
前記第２のドキュメントの情報を関係付けることが、
前記第２の電子ドキュメントを入手することと、
該第２の電子ドキュメントを前記クライアントに送信することと
を含む、請求項１に記載の方法。
【請求項６】
前記第２の電子ドキュメントが、前記分散電子ドキュメントの新しいバージョンを含み、
前記関連した情報が、前記アクションが前記クライアントにおける分散電子ドキュメントに関して許可されていないことを示すドキュメント許可情報を含む、
請求項５に記載の方法。
【請求項７】
前記ドキュメント許可情報が、前記分散電子ドキュメントよりも小さい粒度レベルにおけるアクセス許可を指定する、請求項６に記載の方法。
【請求項８】
前記関連した情報が、前記第２の電子ドキュメントを示す、ユーザに依存した関連情報を含み、
前記第２の電子ドキュメントを入手することが、該ユーザに依存した関連情報と該クライアントにおいて識別されたユーザとに基づいて、該第２の電子ドキュメントを識別することを含む、
請求項５に記載の方法。
【請求項９】
前記第２の電子ドキュメントを入手することが、前記識別されたユーザに基づいて、前
記第２の電子ドキュメントのうち少なくとも一部分を生成することをさらに含む、請求項８に記載の方法。
【請求項１０】
前記分散ドキュメントおよび第２のドキュメントが、異なるフォーマットバージョンのドキュメントを含む、請求項５に記載の方法。
【請求項１１】
前記分散電子ドキュメントが、ソフトウェアプログラムを含み、
前記第２の電子ドキュメントが、該ソフトウェアプログラムの新しいバージョンを含み、
前記アクションが、該ソフトウェアプログラムを実行させることを含む、
請求項５に記載の方法。
【請求項１２】
前記クライアントにおける前記分散電子ドキュメントへアクセスすることと、
前記サーバのアドレス、および、該分散電子ドキュメントにおけるドキュメント識別子を識別することと、
該アドレスを用いて、該サーバへ、該ドキュメント識別子、および、要求されたアクションを送信することと、
該クライアントにおいて、該分散ドキュメントを、前記第２のドキュメントに置き換えることと
をさらに含む、請求項１に記載の方法。
【請求項１３】
前記分散ドキュメントを置き換えることが、前記第２のドキュメントに関してアクションを実行することを含む、請求項１２に記載の方法。
【請求項１４】
前記第２のドキュメントが、前記サーバのアドレスと第２のドキュメント識別子とを含み、
前記分散ドキュメントを置き換えることが、格納デバイスにある該第２のドキュメントを用いて、該分散ドキュメントを上書きすることをさらに含む、
請求項１３に記載の方法。
【請求項１５】
局所的に保持された分散ドキュメントを開くことと、
該分散ドキュメントから識別されたドキュメントコントロールサーバに接続することと、
該ドキュメントコントロールサーバから受信した情報に基づいて、該分散ドキュメントの代わりに、少なくとも１つのドキュメントアクションに関して第２のドキュメントの使用を強いることと
を含む、方法。
【請求項１６】
前記受信した情報に基づいて、前記第２のドキュメントを入手することをさらに含む、請求項１５に記載の方法。
【請求項１７】
前記受信した情報が、前記第２のドキュメントを含む、請求項１５に記載の方法。
【請求項１８】
前記第２のドキュメントが、前記分散ドキュメントの新しいバージョンを含み、
前記使用を強いることが、トランスパレントに該分散ドキュメントを閉じ、該第２のドキュメントを開くことを含む、請求項１５に記載の方法。
【請求項１９】
前記使用を強いることが、前記分散ドキュメントを前記第２のドキュメントを用いてトランスパレントに上書きすることを含む、請求項１８に記載の方法。
【請求項２０】
前記受信した情報が、前記第２のドキュメントに関連した認証を、前記分散ドキュメントを用いて指定するドキュメント認証情報を含む、請求項１５に記載の方法。
【請求項２１】
前記分散ドキュメントがソフトウェアプログラムを含み、前記第２のドキュメントが、該ソフトウェアプログラムの新しいバージョンを含み、前記少なくとも１つのドキュメントアクションが、該ソフトウェアプログラムを実行させることを含む、請求項１５に記載の方法。
【請求項２２】
機械可読媒体に実体的に具現化されたソフトウェアプロダクトであって、該ソフトウェアプロダクトは、１つ以上のデータ処理装置に、請求項１〜１４のいずれか一項に記載の方法を実行させるように動作可能な命令を含む、ソフトウェアプロダクト。
【請求項２３】
機械可読媒体に実態的に具現化されたソフトウェアプロダクトであって、該ソフトウェアプロダクトは、１つ以上のデータ処理装置に、請求項１５〜２１のいずれか一項に記載の方法を実行させるように動作可能な命令を含む、ソフトウェアプロダクト。
【請求項２４】
１つ以上のデータ処理装置に、請求項２０に記載の方法を実行させるように動作可能であり、
前記受信した情報が、前記第２のドキュメントに関連した認証を、前記分散ドキュメントを用いて指定するドキュメント認証情報を含む、請求項２３に記載のソフトウェアプロダクト。
【請求項２５】
クライアントとサーバとを含むシステムであって、
該クライアントは、該クライアントに対して局所的な分散電子ドキュメントに関してアクションが行なわれたときに、要求をサーバに送信するように動作可能であり、
該サーバは、該要求を受信するように動作可能であり、
該クライアントに応答して、該サーバは、該分散電子ドキュメントに関連した情報を識別するように動作可能であり、
該関連した情報は、該サーバにおいて保持され、該分散電子ドキュメントとは異なる第２の電子ドキュメントであって、該分散電子ドキュメントに関連した第２の電子ドキュメントとを示し、
該サーバは、該第２の電子ドキュメントに関する情報を該クライアントに関係付け、アクションが行なわれることを容易にする、
システム。
【請求項２６】
前記サーバは、
コンフィギュレーションとロギングコンポーネントとを伴うサーバコアと、
動的にロードされた方法を横断した機能を提供する内部サービスコンポーネントと、
１つ以上のアクセスコントロールサービス・プロバイダを含む、動的にロードされた外部のサービスプロバイダと
を含む、請求項２５に記載のシステム。
【請求項２７】
前記サーバを含むドキュメントコントロールサーバのクラスタを含んだビジネスロジック階層と、
ビューア・クライアントとアドミニストレーション・クライアントとを含むクライアントを含んだアプリケーション階層と、
クライアント要求の、該ドキュメントコントロールサーバへの経路を定めるロードバランサーと
を含む、請求項２５に記載のシステム。
【請求項２８】
前記サーバが、翻訳コンポーネントを含むパーミション仲介サーバを含み、
前記局所的な電子ドキュメントが、該パーミション仲介サーバによって既に保護されたドキュメントを含み、
該翻訳コンポーネントは、該クライアントから受信された要求に応答して、第１の認証定義フォーマットの第１のドキュメント認証情報を、第２の認証定義フォーマットの第２のドキュメント認証情報に翻訳するように動作可能である、
請求項２５に記載のシステム。
【請求項２９】
前記サーバが、１つ以上のデータ処理装置に認証手続きを行なうのに効果的なオペレーションを実行するように動作可能な命令を含むソフトウェアプログラムを前記要求に応答して入手し、送信するように動作可能なパーミション仲介サーバを含み、
前記クライアントは、前記認証プログラムを用い、現在のユーザを識別し、該現在のユーザと前記第２のドキュメントに関連したドキュメント関連情報とに基づいて、該第２のドキュメントに関してアクションをコントロールする、
請求項２５に記載のシステム。
【請求項３０】
前記サーバは、前記クライアント要求に応答してオフラインアクセス情報を前記クライアントに同期化させるように動作可能であるドキュメントコントロールサーバを含み、
該オフラインアクセス情報は、グループに関連した第１のキーを含み、
該第１のキーは、該クライアントにおいて、第３のドキュメントにおける第２のキーを復号化することによって該第３のドキュメントにアクセスすることに利用可能であり、
該クライアントは、オフラインのとき、該第１のキーを用いて該第３のドキュメントにおける該第２のキーを復号化し、該第３のドキュメントに関連したドキュメント認証情報に基づいて該第３のドキュメントに関してアクションを統率することによって、該グループのメンバーとしてユーザによって該第３のドキュメントにアクセスすることを許可する、
請求項２５に記載のシステム。